(57)【要約】【課題】ＷＤＭ−ＰＯＮシステム内だけで、異なる拠点の複数のユーザネットワークを１つのＬＡＮとして構成することができるシステム及び転送方法を提供する。【解決手段】ＯＬＴと、光分岐装置と、複数のＯＮＵとを有するＷＤＭ−ＰＯＮシステムに関する。光分岐装置は、ＯＬＴに接続されたポートに対して上り方向光ファイバ及び下り方向光ファイバを有し、ＯＮＵに接続されたポートが、上り方向光ファイバ及び下り方向光ファイバに、ユーザ別波長フィルタを介して接続されている。ＯＮＵは、他のＯＮＵへ送信すべきパケットに、折り返しフラグを含むラベルを付加するラベル付加手段を有する。ＯＬＴは、光分岐装置から受信したパケットに付加されたラベルに、折り返しフラグが付加されているか否かを判定するラベル判定手段を有し、折り返しフラグを含むラベルが付加されていると判定されたパケットを、そのまま光分岐装置へ折り返し送信する。【選択図】図３
2008236481.tif 000002
【特許請求の範囲】
【請求項１】
光加入者線の局内装置(ＯＬＴ：Optical Line terminal)が、光分岐装置を介して、複数の宅内装置(ＯＮＵ：Optical Network Unit)に接続されるＷＤＭ−ＰＯＮ(Wave Division Multiplex - Passive Optical Network)システムであって、
前記局内装置の配下で、同一ユーザに基づく前記宅内装置の間で、同一光波長の光信号を転送するために、
前記光分岐装置は、前記局内装置に接続されたポートに対して上り方向光ファイバ及び下り方向光ファイバを有し、前記宅内装置に接続されたポートが、前記上り方向光ファイバ及び前記下り方向光ファイバに、ユーザ別波長フィルタを介して接続されており、
前記宅内装置は、他の宅内装置へ送信すべきパケットに、折り返しフラグを含むラベルを付加するラベル付加手段を有し、
前記局内装置は、前記光分岐装置から受信したパケットのラベルに、前記折り返しフラグが付加されているか否かを判定するラベル判定手段を有し、前記折り返しフラグを含むラベルが付加されたパケットを、そのまま前記光分岐装置へ折り返し送信する
ことを特徴とするＷＤＭ−ＰＯＮシステム。
【請求項２】
前記光分岐装置は、前記局内装置及び前記宅内装置が接続された複数のポートを、光カプラを介して、前記上り方向光ファイバ及び前記下り方向光ファイバに接続することを特徴とする請求項１に記載のＷＤＭ−ＰＯＮシステム。
【請求項３】
前記局内装置は、
前記光分岐装置が接続されるポートに接続された光カプラと、
前記光カプラから受信した光信号を電気信号に変換し、そのパケットを前記ラベル判定手段へ出力する光・電気変換手段と、
前記折り返しフラグを含むラベルが付加されたパケットについて、その電気信号を光信号に変換し、変換された光信号を前記光カプラへ出力する電気・光変換手段と
を有することを特徴とする請求項１又は２に記載のＷＤＭ−ＰＯＮシステム。
【請求項４】
前記宅内装置は、
前記光分岐装置に接続されるポートに接続された光カプラと、
前記光カプラから受信した光信号を電気信号に変換する光・電気変換手段と、
前記光・電気変換手段から出力されたパケットに、前記折り返しフラグを含むラベルが付加されているか否かを判定するラベル判定手段と、
前記折り返しフラグを含むラベルが付加されたパケットについて、前記折り返しフラグを除去するラベル処理手段と
を更に有することを特徴とする請求項１から３のいずれか１項に記載のＷＤＭ−ＰＯＮシステム。
【請求項５】
前記ラベルは、ユーザ毎の論理リンク識別子を有しており、
前記局内装置の前記ラベル付加手段は、ユーザ毎に異なる論理リンク識別子を含む前記ラベルを、前記パケットに付加することを特徴とする請求項１から４のいずれか１項に記載のＷＤＭ−ＰＯＮシステム。
【請求項６】
前記光分岐装置の前記ユーザ別波長フィルタは、ユーザ別の１波長を追加し且つ取り出すことができるアド／ドロップ多重化装置（ＡＤＭ）であることを特徴とする請求項１から５のいずれか１項に記載のＷＤＭ−ＰＯＮシステム。
【請求項７】
前記パケットに付加されるラベルは、シムヘッダ部分であることを特徴とする請求項１から６のいずれか１項に記載のＷＤＭ−ＰＯＮシステム。
【請求項８】
前記光分岐装置は、
前記折り返しフラグを含むラベルが付加されたパケットの光信号を、第１の宅内装置から受信し、前記ユーザ別波長フィルタを介して前記上り方向光ファイバへ転送し、前記局内装置へ出力し、
前記局内装置から折り返し出力された前記光信号を受信し、前記下り方向光ファイバへ転送し、前記ユーザ別波長フィルタを介して第２の宅内装置へ出力する
ように構成されていることを特徴とする請求項１から７のいずれか１項に記載のＷＤＭ−ＰＯＮシステム。
【請求項９】
光加入者線の局内装置(ＯＬＴ)が、光分岐装置を介して、複数の宅内装置(ＯＮＵ)に接続されるＷＤＭ−ＰＯＮシステムにおける光信号の転送方法であって、
前記局内装置の配下で、同一ユーザに基づく前記宅内装置の間で、同一光波長の光信号を転送するために、
前記光分岐装置は、前記局内装置に接続されたポートに対して上り方向光ファイバ及び下り方向光ファイバを有し、前記宅内装置に接続されたポートが、前記上り方向光ファイバ及び前記下り方向光ファイバに、ユーザ別波長フィルタを介して接続されており、
前記宅内装置が、他の宅内装置へ送信すべきパケットに、折り返しフラグを含むラベルを付加し、そのパケットを光信号に変換し、その光信号を前記光分岐装置へ送信する第１のステップと、
前記光分岐装置が、前記宅内装置から受信した前記光信号を、前記ユーザ別波長フィルタを介して前記上り方向光ファイバへ転送し、その光信号を前記局内装置へ出力する第２のステップと、
前記局内装置が、前記光分岐装置から受信した光信号を電気信号に変換し、そのパケットに、前記折り返しフラグを含むラベルが付加されているか否かを判定し、前記折り返しフラグを含むラベルが付加されたパケットを、そのまま前記光分岐装置へ折り返し送信する第３のステップと、
前記光分岐装置が、前記局内装置から受信した前記光信号を、前記下り方向光ファイバへ転送し、その光信号をユーザ別波長フィルタを介して前記宅内装置へ出力する第４のステップと
を有することを特徴とする光信号の転送方法。
【発明の詳細な説明】
【技術分野】
【０００１】
本発明は、局内装置(ＯＬＴ：Optical Line Terminal)配下の宅内装置(ＯＮＵ：Optical Network Unit)間で通信するＷＤＭ−ＰＯＮ(Wave Division Multiplex - Passive Optical Network)システム及び転送方法に関する。
【背景技術】
【０００２】
近年、企業系ユーザが、ＷＤＭ（波長分割多重）アクセス技術を用いたＷＤＭ−ＰＯＮシステムを用いて、企業内ネットワークを構築する場合がある。ＰＯＮは、光加入者線の局内装置に接続される１本の光ファイバ回線を、光分岐装置（スプリッタ）を介して、複数の光加入者宅の宅内装置に引き込むネットワークである。
【０００３】
図１は、従来技術におけるＷＤＭ−ＰＯＮシステムの構成図である。
【０００４】
図１によれば、１つの設備局と複数のユーザネットワークとの間が、ＷＤＭ−ＰＯＮシステムによって構築されている。ユーザネットワークに接続される各レイヤ３スイッチ５は、光加入者線の宅内装置（ＯＮＵ）２に接続される。ＯＮＵ２は、スプリッタ１を介して、設備局のＯＬＴ３に接続される。更に、ＯＬＴ３は、インターネットに接続されたレイヤ３スイッチ４に接続されている。これにより、ユーザネットワークに接続された通信装置は、ＷＤＭ−ＰＯＮシステムを介して、インターネットに接続することができる。
【０００５】
ＯＮＵ２とスプリッタ１との間は、ユーザネットワーク毎に異なる光波長で伝送される。従って、他のユーザネットワークに対する秘匿性を確保できる。スプリッタ１は、これら複数の異なる光波長を波長分割多重（ＷＤＭ）化して、ＯＬＴ３へ伝送する。
【０００６】
図２は、従来技術におけるパケット転送のシーケンス図である。
【０００７】
図２によれば、ユーザネットワークＡ及びユーザネットワークＣを、１つのＬＡＮとして構成する場合について説明している。例えば、企業系ユーザが、異なる拠点間（例えば本店と複数の支店）を１つのＬＡＮとして構成する場合がある。
【０００８】
ユーザネットワークＡからユーザネットワークＣへパケットを転送する場合、ユーザネットワークＡに接続されたＯＮＵ２は、そのパケットを光信号に変換し、その光信号をスプリッタ１へ送信する。スプリッタ１は、その光信号を波長分割多重化して、ＯＬＴ３へ送信する。ＯＬＴ３は、その光信号を電気信号に変換して、その電気信号をレイヤ３スイッチ４へ送信する。ここで、レイヤ３スイッチ４は、その電気信号のパケットのＩＰアドレスに基づいて、そのパケットをユーザネットワークＣへ経路制御する。
【０００９】
レイヤ３スイッチ４は、そのパケットをＯＬＴ３へ折り返して送信する。ＯＬＴ３は、そのパケットを光信号に変換し、その光信号を波長分割多重化して、スプリッタ１へ送信する。スプリッタ１は、その光信号を、ユーザネットワークＣに接続されたＯＮＵ２へ送信する。ＯＮＵ２は、その光信号を電気信号に変換して、その電気信号を、ユーザネットワークＣに接続されたレイヤ３スイッチ５へ送信する。
【００１０】
【非特許文献１】X.F.Sun et.al., IEEE/OSA Fiber Optics CommunicationConference, OFC 2006, JThB71
【発明の開示】
【発明が解決しようとする課題】
【００１１】
しかしながら、従来のＷＤＭ−ＰＯＮシステムによれば、ＯＬＴ配下で、ＯＮＵ間の通信をすることはできない。即ち、ＯＬＴの先に接続されたレイヤ３スイッチによる経路制御が必要となる。従って、企業系ユーザが、異なる拠点間でＬＡＮを構築するために、ＷＤＭ−ＰＯＮシステムを導入したとしても、パケットを折り返すだけのために、ＯＬＴの先に接続されたレイヤ３スイッチの経路制御を必要としていた。また、企業系ユーザの拠点間で転送されるパケットが、ＷＤＭ−ＰＯＮシステムを越えた場所（ＯＬＴの先に接続されたレイヤ３スイッチ）に転送されることは、秘匿性の観点からも好ましくない。
【００１２】
そこで、本発明は、ＷＤＭ−ＰＯＮシステム内だけで、異なる拠点の複数のユーザネットワークを１つのＬＡＮとして構成することができるシステム及び転送方法を提供することを目的とする。
【課題を解決するための手段】
【００１３】
本発明によれば、光加入者線の局内装置（ＯＬＴ：Optical Line terminal）が、光分岐装置を介して、複数の宅内装置(ＯＮＵ：Optical Network Unit)に接続されるＷＤＭ−ＰＯＮ(Wave Division Multiplex - Passive Optical Network)システムであって、
局内装置の配下で、同一ユーザに基づく宅内装置の間で、同一光波長の光信号を転送するために、
光分岐装置は、局内装置に接続されたポートに対して上り方向光ファイバ及び下り方向光ファイバを有し、宅内装置に接続されたポートが、上り方向光ファイバ及び下り方向光ファイバに、ユーザ別波長フィルタを介して接続されており、
宅内装置は、他の宅内装置へ送信すべきパケットに、折り返しフラグを含むラベルを付加するラベル付加手段を有し、
局内装置は、光分岐装置から受信したパケットのラベルに、折り返しフラグが付加されているか否かを判定するラベル判定手段を有し、折り返しフラグを含むラベルが付加されたパケットを、そのまま光分岐装置へ折り返し送信することを特徴とする。
【００１４】
本発明のＷＤＭ−ＰＯＮシステムにおける他の実施形態によれば、光分岐装置は、局内装置及び宅内装置が接続された複数のポートを、光カプラを介して、上り方向光ファイバ及び下り方向光ファイバに接続することも好ましい。
【００１５】
本発明のＷＤＭ−ＰＯＮシステムにおける他の実施形態によれば、局内装置は、
光分岐装置が接続されるポートに接続された光カプラと、
光カプラから受信した光信号を電気信号に変換し、そのパケットをラベル判定手段へ出力する光・電気変換手段と、
折り返しフラグを含むラベルが付加されたパケットについて、その電気信号を光信号に変換し、変換された光信号を光カプラへ出力する電気・光変換手段と
を有することも好ましい。
【００１６】
本発明のＷＤＭ−ＰＯＮシステムにおける他の実施形態によれば、宅内装置は、
光分岐装置に接続されるポートに接続された光カプラと、
光カプラから受信した光信号を電気信号に変換する光・電気変換手段と、
光・電気変換手段から出力されたパケットに、折り返しフラグを含むラベルが付加されているか否かを判定するラベル判定手段と、
折り返しフラグを含むラベルが付加されたパケットについて、折り返しフラグを除去するラベル処理手段と
を更に有することも好ましい。
【００１７】
本発明のＷＤＭ−ＰＯＮシステムにおける他の実施形態によれば、
ラベルは、ユーザ毎の論理リンク識別子を有しており、
局内装置のラベル付加手段は、ユーザ毎に異なる論理リンク識別子を含むラベルを、パケットに付加することも好ましい。
【００１８】
本発明のＷＤＭ−ＰＯＮシステムにおける他の実施形態によれば、光分岐装置のユーザ別波長フィルタは、ユーザ別の１波長を追加し且つ取り出すことができるアド／ドロップ多重化装置（ＡＤＭ）であることも好ましい。
【００１９】
本発明のＷＤＭ−ＰＯＮシステムにおける他の実施形態によれば、パケットに付加されるラベルは、シムヘッダ部分であることも好ましい。
【００２０】
本発明のＷＤＭ−ＰＯＮシステムにおける他の実施形態によれば、光分岐装置は、
折り返しフラグを含むラベルが付加されたパケットの光信号を、第１の宅内装置から受信し、ユーザ別波長フィルタを介して上り方向光ファイバへ転送し、局内装置へ出力し、
局内装置から折り返し出力された光信号を受信し、下り方向光ファイバへ転送し、ユーザ別波長フィルタを介して第２の宅内装置へ出力する
ように構成されていることも好ましい。
【００２１】
本発明によれば、光加入者線の局内装置(ＯＬＴ)が、光分岐装置を介して、複数の宅内装置(ＯＮＵ)に接続されるＷＤＭ−ＰＯＮシステムにおける光信号の転送方法であって、
局内装置の配下で、同一ユーザに基づく宅内装置の間で、同一光波長の光信号を転送するために、
光分岐装置は、局内装置に接続されたポートに対して上り方向光ファイバ及び下り方向光ファイバを有し、宅内装置に接続されたポートが、上り方向光ファイバ及び下り方向光ファイバに、ユーザ別波長フィルタを介して接続されており、
宅内装置が、他の宅内装置へ送信すべきパケットに、折り返しフラグを含むラベルを付加し、そのパケットを光信号に変換し、その光信号を光分岐装置へ送信する第１のステップと、
光分岐装置が、宅内装置から受信した光信号を、ユーザ別波長フィルタを介して上り方向光ファイバへ転送し、その光信号を局内装置へ出力する第２のステップと、
局内装置が、光分岐装置から受信した光信号を電気信号に変換し、そのパケットに、折り返しフラグを含むラベルが付加されているか否かを判定し、折り返しフラグを含むラベルが付加されたパケットを、そのまま光分岐装置へ折り返し送信する第３のステップと、
光分岐装置が、局内装置から受信した光信号を、下り方向光ファイバへ転送し、その光信号をユーザ別波長フィルタを介して宅内装置へ出力する第４のステップと
を有することを特徴とする。
【発明の効果】
【００２２】
本発明のシステム及び転送方法によれば、ＷＤＭ−ＰＯＮシステム内だけで、異なる拠点の複数のユーザネットワークを１つのＬＡＮとして構成することができる。即ち、ＯＬＴ配下で、ＯＮＵ間のパケットの伝送を実現する。
【発明を実施するための最良の形態】
【００２３】
以下では、図面を用いて、本発明を実施するための最良の形態について詳細に説明する。
【００２４】
図３は、本発明におけるパケット転送のシーケンス図である。
【００２５】
図３によれば、図２と比較して、ユーザネットワークＡから送信されたパケットが、局内装置（ＯＬＴ）３で折り返し送信され、ユーザネットワークＣへ転送されている。
【００２６】
ユーザネットワークＡから送信されたパケットについて、ＯＬＴ３は、光分岐装置（スプリッタ）１から、そのパケットの光信号を受信する。そのパケットには、ラベルが付加されている。そのラベルには、ＯＬＴ配下におけるＯＮＵ間の通信を意味するフラグ、即ち、「折り返しフラグ」が含められる。ＯＬＴ３は、折り返しフラグを含むラベルが付加されたパケットについては、直ぐにスプリッタ１へ折り返し送信する。これにより、ＯＮＵ２間の通信のパケットは、ＯＬＴ３の先に接続されたレイヤ３スイッチ４へ転送されることなく、ＯＬＴ３の配下、即ち、ＷＤＭ−ＰＯＮシステム内でのみ伝送される。
【００２７】
図４は、本発明における光分岐装置の機能構成図である。
【００２８】
スプリッタ（光分岐装置）１は、ＯＬＴ３に接続されたポートに対して上り方向光ファイバ１０１及び下り方向光ファイバ１０２を有する。上り方向光ファイバ１０１は、ＯＮＵからＯＬＴへの方向の光信号の転送にのみ用いられる。下り方向光ファイバ１０２は、ＯＬＴからＯＮＵへの方向の光信号の転送にのみ用いられる。両方の光ファイバは、光終端器１０９によって終端されている。
【００２９】
また、上り方向光ファイバ１０１及び下り方向光ファイバ１０２には、ＯＮＵ２に接続されるポート毎に、即ち、ユーザネットワーク毎に、波長フィルタ１０３が接続されている。波長フィルタ１０３は、波長分割多重化された信号に対して、ユーザ別の１波長を追加し且つ取り出すことができるアド／ドロップ多重化装置（ＡＤＭ）である。
【００３０】
上り方向光ファイバ１０１及び下り方向光ファイバ１０２に対して、複数の波長フィルタ１０３がカスケード状に接続される。これにより、各波長フィルタの波長選択について、１つのＬＡＮとして構成する複数のＯＮＵ２に対して、同一波長を付与することができる。
【００３１】
ここで、例えばユーザネットワークＡ及びユーザネットワークＣを１つのＬＡＮとして構成する場合、ユーザネットワークＡに接続される波長フィルタと、ユーザＣに接続される波長フィルタとは、同一の光波長を用いる。また、同一の光波長を有するＯＮＵ２間では、他のユーザネットワークに対してデータの秘匿性が確保できる。
【００３２】
上り方向の波長フィルタと下り方向の波長フィルタとは、光カプラ１０４を介して、ＯＮＵ２が接続されるポートに接続される。光カプラとは、１つの光信号を複数の光信号に分離し、及び、複数の光信号を１つの光信号に結合するものであり、通常、電源不要且つメンテナンスフリーである。
【００３３】
図４によれば、スプリッタ１は、２本の上り方向光ファイバに接続され且つ２つの光信号を結合する光カプラ１０５と、２本の下り方向光ファイバに接続され且つ２つの光信号に分離する光カプラ１０６とを有する。
【００３４】
光カプラ１０５及び光カプラ１０６はそれぞれ、アイソレータ１０７に接続される。アイソレータとは、光を単一方向にのみ通す性質を持ったデバイスであって、反射して戻ってくる光を阻止する機能がある。反射光は不安定な動作を引き起こしてノイズの原因となるため、アイソレータを備えることも好ましい。
【００３５】
更に、上り方向及び下り方向のアイソレータ１０７は、光カプラ１０８を介して、ＯＬＴ３が接続されたポートに接続される。
【００３６】
前述したように、スプリッタ１の中は、以下のシーケンスで動作する。
（Ｓ１）第１のＯＮＵ２から、折り返しフラグを含むラベルが付加されたパケットの光信号を受信し、その光信号を、ユーザ別の波長フィルタを介して上り方向光ファイバへ転送し、ＯＬＴ３へ出力する。
（Ｓ２）ＯＬＴ３から、折り返し出力された光信号を受信し、下り方向光ファイバへ転送し、ユーザ別の波長フィルタを介して第２のＯＮＵ２へ出力する。
【００３７】
図５は、本発明におけるＯＬＴ及びＯＮＵの機能構成図である。
【００３８】
図５によれば、ＯＮＵ２は、ＭＡＣフレーム送受信部２０１と、ラベル付加部２０２と、電気・光変換部２０３と、分岐部２０４部と、光・電気変換部２０５と、ラベル判定部２０６と、ラベル処理部２０７とを有する。
【００３９】
ＭＡＣフレーム送受信部２０１は、ユーザネットワークから受信したパケットを、ラベル付加部２０２へ送信し、ラベル処理部２０７から受信したパケットを、ユーザネットワークへ送信する。
【００４０】
ラベル付加部２０２は、同じＯＬＴ配下の他のＯＮＵへ送信すべきパケットに、折り返しフラグを含むラベルを付加する。本発明によれば、折り返しフラグを含むラベルは、シムヘッダ部分に含まれる。
【００４１】
図６は、本発明におけるフレームフォーマット図である。
【００４２】
図６によれば、ＭＡＣフレーム形式と、本発明で使用するフレーム形式とが表されている。本発明のフレーム形式は、ＩＥＥＥ８０２．３ａｈに基づく。ＳＦＤ（スタートフレームデリミタ）が、プリアンブルの第３バイトに含まれており、ＬＬＩＤ（論理リンクＩＤ）が、プリアンブルの第６及び第７バイトに含まれている。ＬＬＩＤは、ユーザ毎に設定されており、異なるユーザのフレームを受信することが避けるためのものである。折り返しフラグを含むラベルは、シムヘッダ部分に含まれる。
【００４３】
電気・光変換部２０３は、ラベル付加部２０２から出力された電気信号を、光信号に変換し、その光信号を分岐部２０４へ出力する。
【００４４】
分岐部２０４は、光ファイバを介して、スプリッタ１と通信する。分岐部２０４は、電気・光変換部２０３から受信した光信号をスプリッタ１へ送信し、スプリッタ１から受信した光信号を光・電気変換部２０５へ出力する。尚、分岐部２０４は、スプリッタ１との間で、ユーザ別の光波長で光信号を送受信する。
【００４５】
光・電気変換部２０５は、分岐部２０４から出力された光信号を、電気信号に変換し、そのパケットをラベル判定部２０６へ出力する。
【００４６】
ラベル判定部２０６は、光・電気変換部２０５から出力されたパケットに、折り返しフラグを含むラベルが付加されているか否かを判定する。前述したように、シムヘッダ部分を参照することによって判定できる。
【００４７】
ラベル処理部２０７は、ラベル判定部２０６によって折り返しフラグを含むラベルが付加されていると判定されたパケットについて、折り返しフラグを除去する。折り返しフラグが除去されたパケットは、ＭＡＣフレーム送受信部２０１へ出力される。
【００４８】
尚、ラベル処理部２０７は、受信したパケットのシムヘッダ部分に含まれる、ユーザ別の論理リンクＩＤが当該ユーザのＩＤと一致することを確認することもできる。一致しない場合、そのパケットを破棄する。これにより、異なるユーザのフレームを受信することを避けることができる。
【００４９】
図５によれば、ＯＬＴ３は、光カプラ３０１と、光・電気変換部３０２と、ラベル判定部３０３と、電気・光変換部３０４とを有する。
【００５０】
光カプラ３０１は、光ファイバを介して、スプリッタ１と通信する。光カプラ３０１は、スプリッタ１から受信した光信号を、光・電気変換部３０２へ出力する。また、光カプラ３０１は、ＯＮＵ２へ送信すべき光信号を、スプリッタ１へ送信する。
【００５１】
光・電気変換部３０２は、光カプラ３０１から受信した光信号を、電気信号に変換し、そのパケットをラベル判定部３０３へ出力する。
【００５２】
ラベル判定部３０３は、光・電気変換部３０２から出力されたパケットに付加されたラベルに、折り返しフラグが付加されているか否かを判定する。折り返しフラグを含むラベルが付加されていると判定されたパケットは、そのまま電気・光変換部３０４へ折り返し送信する。そのラベルが付加されていないと判定されたパケットは、折り返しフラグが除去され、出力される。
【００５３】
以上、詳細に説明したように、本発明のシステム及び転送方法によれば、ＷＤＭ−ＰＯＮシステム内だけで、異なる拠点の複数のユーザネットワークを１つのＬＡＮとして構成することができる。即ち、ＯＬＴ配下で、ＯＮＵ間のパケットの伝送を実現する。
【００５４】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００５５】
【図１】従来技術におけるＷＤＭ−ＰＯＮシステムの構成図である。
【図２】従来技術におけるパケット転送のシーケンス図である。
【図３】本発明におけるパケット転送のシーケンス図である。
【図４】本発明における光分岐装置の機能構成図である。
【図５】本発明におけるＯＬＴ及びＯＮＵの機能構成図である。
【図６】本発明におけるフレームフォーマット図である。
【符号の説明】
【００５６】
１  光分岐装置、スプリッタ
１０１  上り方向光ファイバ
１０２  下り方向光ファイバ
１０３  波長フィルタ
１０４  ＯＮＵ側の光カプラ
１０５  ＯＬＴ側の上り方向の光カプラ
１０６  ＯＬＴ側の下り方向の光カプラ
１０７  アイソレータ
１０８  ＯＬＴ側の光カプラ
１０９  光終端器
２  ＯＮＵ、光加入者線の宅内装置
２０１  ＭＡＣフレーム送受信部
２０２  ラベル付加部
２０３  電気・光変換部
２０４  分岐部
２０５  光・電気変換部
２０６  ラベル判定部
２０７  ラベル処理部
３  ＯＬＴ、光加入者線の局内装置
３０１  光カプラ
３０２  光・電気変換部
３０３  ラベル判定部
３０４  電気・光変換部
４、５  レイヤ３スイッチ
【図１】
2008236481.tif 000003
【図２】
2008236481.tif 000004
【図３】
2008236481.tif 000005
【図４】
2008236481.tif 000006
【図５】
2008236481.tif 000007
【図６】
2008236481.tif 000008